(57)【要約】【課題】浴室内で大画面の映像を楽しむことのできる浴室ＴＶシステムを提供する。【解決手段】浴室ＴＶシステム１は、専用のＴＶチューナ１１と、脱衣室３内に設置されたプロジェクタ６と、浴室ガラスドア７の両面に設けられた背面投射用の透過型スクリーン８及び超親水コーティング材９と、映像音声を供給する機能を有する浴室リモコン５と、を主要構成として備えている。浴室２と脱衣室３との間仕切り１０にはガラスドア７が取り付けられており、その脱衣室側には背面投射用の透過型スクリーン８が貼付され、浴室側には超親水コーティング材９が塗布されている。  【選択図】図１
2008211554.tif 000002
【特許請求の範囲】
【請求項１】
浴室と浴室隣室との間仕切りに透光面と、浴室隣室に画像反転機能を有するプロジェクタと、該プロジェクタに映像信号を送信するＴＶチューナと、を備え、かつ、
該透光面の浴室側には防曇処理が施され、隣室側には背面投射用の透過型スクリーンが設けられ、
て成ることを特徴とする浴室ＴＶシステム。
【請求項２】
前記防曇処理が、透光面への超親水フィルムの貼付であることを特徴とする請求項１に記載の浴室ＴＶシステム。
【請求項３】
前記防曇処理が、透光面への超親水コーティング材の塗布であることを特徴とする請求項１に記載の浴室ＴＶシステム。
【請求項４】
前記透光面が、透光部を有する浴室ドアであることを特徴とする請求項１乃至３に記載の浴室ＴＶシステム。
【請求項５】
熱源機と、熱源機操作のための浴室リモコン及びメインリモコンと、
熱源機を介して、浴室リモコンとメインリモコン間で通話を可能とするリモコン信号線と、をさらに備え、
かつ、ＴＶチューナから浴室リモコンへ音声信号の伝送を、該リモコン信号線を用いて行うように構成したことを特徴とする請求項１乃至４に記載の浴室ＴＶシステム。
【請求項６】
前記ＴＶチューナへの操作を、前記浴室リモコンから行うように構成したことを特徴とする請求項１乃至３に記載の浴室ＴＶシステム。
【請求項７】
前記ＴＶチューナから前記プロジェクタへの映像信号の伝送を、電力線通信（ＰＬＣ）を介して行うように構成したことを特徴とする請求項１乃至３に記載の浴室ＴＶシステム。
【請求項８】
前記ＴＶチューナから前記プロジェクタへの映像信号の伝送を、無線ＬＡＮを介して行うように構成したことを特徴とする請求項１乃至３に記載の浴室ＴＶシステム。
【請求項９】
前記浴室隣室は換気装置をさらに備え、
かつ、前記ＴＶチューナ稼動開始をトリガーとして換気運転を開始するように構成したことを特徴とする請求項１乃至３に記載の浴室ＴＶシステム。
【請求項１０】
前記浴室は浴室暖房機をさらに備え、
かつ、前記ＴＶチューナ操作をトリガーとして浴室暖房機の暖房運転を開始するように構成して成ることを特徴とする請求項１乃至３に記載の浴室ＴＶシステム。
【発明の詳細な説明】
【技術分野】
【０００１】
本発明は浴室ＴＶシステムに係り、特に浴室内で大画面の映像を楽しむことのできる浴室ＴＶシステムに関する。
【背景技術】
【０００２】
浴室に設置するＴＶシステムとして浴室壁面に取り付ける液晶ＴＶを用いたシステムが多く提案されている（例えば特許文献１）。これらの画面サイズは概ね７〜１２インチ程度であり、最大でも２０インチが限度である。また、音声はＴＶと一体のスピーカーを用いるものが多い。しかし、小さな画面では十分に楽しむことができないという問題がある。特に、近視の人は眼鏡を外して入浴するのが普通であり、さらに問題となる。また、壁面に取付ける液晶ＴＶは、本体が浴室内に露出する構造であるため、高レベルの防水性、耐熱性、耐湿性が要求され、高価になるという問題がある。
【０００３】
画面の大型化を可能とするものとして、浴室に隣接の脱衣室に設置するプロジェクタから投射される画像を、浴室と脱衣室の間仕切りに設けたガラス面に映すシステムが提案されている（例えば特許文献２）。このシステムは、浴室と脱衣室の温度差によるガラス面への結露を防止するため、ガラスに透明発熱体を埋め込んでいること、及び、振動発生手段（エキサイダ）をガラス面に取り付け、ガラスの振動によりＴＶ音声を発生させることを特徴とする。
【０００４】
【特許文献１】特開２００５-２０４０３号公報
【特許文献２】特開２００５-１８９７８３号公報
【発明の開示】
【発明が解決しようとする課題】
【０００５】
しかしながら特許文献２の技術によれば、発熱体埋め込みやエキサイダ取り付けといった特殊な加工が必要となり、通常のガラスを使用することができない。また、発熱体電源線やエキサイダ信号線をガラスに接続する必要があるため、可動部であるドア等のガラス面には適用することが難しい。さらに、通常、浴室はドア以外の場所にガラス面を備えていることは少なく、ユニットバス等、標準的な浴室には適用できないという問題がある。
【課題を解決するための手段】
【０００６】
本発明は上記課題を解決するためのものであって、簡易な構成により浴室内で大画面の映像を楽しむことのできる浴室ＴＶシステムを提供するものである。本発明は、以下の内容を要旨とする。すなわち、
請求項１の発明は、浴室と浴室隣室との間仕切りに透光面と、浴室隣室に画像反転機能を有するプロジェクタと、該プロジェクタに映像信号を送信するＴＶチューナと、を備え、かつ、該透光面の浴室側には防曇処理が施され、隣室側には背面投射用の透過型スクリーンが設けられて成ることを特徴とする浴室ＴＶシステムである。
本発明において、「透光面」とは裏側に設けられた透過型スクリーンに投射される映像を裏面側に透過する材質を有するものをいい、透明又は半透明のガラス板、アクリル板、樹脂板等を用いることができる。
本発明において「ＴＶチューナ」とは、映像・音声信号出力可能なビデオデッキ、ＤＶＤレコーダー、ポータブルワンセグテレビ等を含む概念である。
「透過型スクリーン」としては、例えば特開２００５−２４９４２に開示されている公知の背面投射用透過型スクリーンを用いることができる。
【０００７】
この場合、防曇処理として、透光面への超親水フィルムの貼付とすることができ（請求項２）、また、透光面への防曇性コーティング材の塗布とすることもできる（請求項３）。
透光面に超親水フィルムの貼付又は超親水コーティング材の塗布がなされていれば、視聴時に水や湯を掛けることにより、透光面に均一な水膜が形成され曇ることがない。
超親水コーティング材としては、例えば特開２００２−２８５０８８に開示されている公知の超親水コーティング材を用いることができる。
また透光面として、透光部を有する浴室ドアを用いることができる（請求項４）。
本発明により既存の建材が利用できるため、簡易に浴室ＴＶシステムを構築することができる。
【０００８】
上記各浴室ＴＶシステムにおいて、熱源機と、熱源機操作のための浴室リモコン及びメインリモコンと、熱源機を介して、浴室リモコンとメインリモコン間で通話を可能とするリモコン信号線と、をさらに備え、かつ、ＴＶチューナから浴室リモコンへ音声信号の伝送を、リモコン信号線を用いて行うように構成したことを特徴とする（請求項５）。
さらに上記発明において、ＴＶチューナへの操作を、浴室リモコンから行うように構成したことを特徴とする（請求項６）。
このように構成することにより、熱源機システムが備える既存のインタホン機能を利用して、ＴＶチューナからの音声出力を浴室内に取り込むことができる。
【０００９】
上記において、前記ＴＶチューナから前記プロジェクタへの映像信号の伝送を、電力線通信（ＰＬＣ）を介して行うように構成することができ（請求項７）、また、ＴＶチューナから前記プロジェクタへの映像信号の伝送を、無線ＬＡＮを介して行うように構成することもできる（請求項８）。
ＰＬＣや無線ＬＡＮを利用することにより、専用のＴＶチューナを必要とせず、住居内のＴＶチューナと共用で浴室ＴＶシステムを構築することができる。
請求項９の発明は、上記各発明において浴室内に浴室暖房機をさらに備え、かつ、ＴＶチューナ操作をトリガーとして浴室暖房機の暖房運転を開始するように構成したことを特徴とする。さらに、浴室隣室内に換気装置をさらに備え、ＴＶチューナ稼動開始をトリガーとして換気運転を開始するように構成することもできる（請求項１０）。
【発明の効果】
【００１０】
本発明により、簡易な構成により浴室内で大画面の映像を楽しむことのできる浴室ＴＶシステムが可能となる。
また、浴室構造を問わないので、浴室の新設時のみならず、ドアが透明又は半透明でさえあれば、既設の浴室に対しても後付けで導入できるという効果を有する。
【発明を実施するための最良の形態】
【００１１】
以下、本発明の各実施形態について、図１乃至６を参照してさらに詳細に説明する。なお、重複記載を回避するため、各図において同一構成には同一符号を用いて示している。また、本発明の範囲は特許請求の範囲記載のものであって、以下の実施形態に限定されないことはいうまでもない。
（第一の実施形態）
本実施形態は、熱源機操作用の信号線をＴＶ操作及び音声信号伝送に利用する一例である。図１は、本実施形態に係る浴室ＴＶシステム１の全体構成を示す図である。浴室ＴＶシステム１は、専用のＴＶチューナ１１と、脱衣室３内に設置されたプロジェクタ６と、浴室ガラスドア７の両面に設けられた背面投射用の透過型スクリーン８及び超親水コーティング材９と、映像音声を供給する機能を有する浴室リモコン５と、を主要構成として備えている。
【００１２】
ＴＶチューナ１１は、外部アンテナ１４及び同軸ケーブル１４ａを介して地上アナログ／地上デジタル／ワンセグの放送電波を受けるように構成されている。
浴室２と脱衣室３との間仕切り１０にはガラスドア７が取り付けられている。そのガラス面７ａの脱衣室側には背面投射用の透過型スクリーン８が透明接着剤により貼付され、浴室側には超親水コーティング材９が塗布されている。透過型スクリーン８の厚さは概ね0.025〜0.1ｍｍである。
超親水処理手段としては、酸化チタンの光触媒が一般に知られているが、光触媒は紫外線が当たらないと活性化しないため、浴室のように日光が当たらない場所での利用は実用的ではない。本実施形態に用いる超親水コーティングは、光触媒とは異なって酸化チタンを用いずに、シロキサン結合（Si-O-Si）で構成されたガラス質塗膜の表面に、親水性基である水酸基（OH）を局在化させた構造になっている。このため、紫外線が当たらなくても、塗膜表面の水酸基に水をなじませて、超親水効果を発揮することができる。この超親水コーティングの水の接触角は、概ね５°〜１５°である。
プロジェクタ６は、別室設置の専用チューナ１１と信号線Ｃ１により結ばれており、ＴＶチューナ１１から送信される映像信号を受信する。また、プロジェクタ６は画像反転機能を有しており、左右逆の映像をスクリーン８に投射して、浴室側から正規の映像を視聴できるように構成されている。
浴室リモコン５とＴＶチューナ１１とは信号線Ｃ２により接続されている。浴室リモコン５は、ＴＶチューナ１１操作を可能とする制御部、操作ボタン等（いずれも図示せず）を備えており、所定の通信プロトコルに従い信号線Ｃ２を介してＴＶチューナ１１に対して信号送信し、ＴＶ入切、番組選定等を可能とするよう構成されている。
【００１３】
熱源機１２とメイン（台所）リモコン１３間は信号線Ｃ３で結ばれており、台所リモコン１３から給湯・風呂機能の操作を行えるように構成されている。また、浴室リモコン５と熱源機１２とは、ＴＶチューナ１１の端子台１１ａを中継して信号線Ｃ２、Ｃ４により結ばれており、浴室リモコン５からも給湯・風呂機能操作を行えるように構成されている。さらに、台所リモコン１３と浴室リモコン５間は、熱源機１２の端子台１２ｂ及びＴＶチューナ１１の端子台１１ａを中継して結ばれており、両リモコンが有するインターホン機能により互いに通話可能に構成されている。このように本実施形態では、信号線Ｃ２は、ＴＶチューナ１１からの音声信号伝送、ＴＶチューナ１１及び熱源機１２への操作信号伝送、台所リモコン１３との音声信号伝送として用いられている。
【００１４】
以上の構成により、浴室ＴＶシステム１においては、浴室ドアを利用して大型画面のＴＶ番組を映し出すことが可能となる。さらに、使用前に浴室側ガラス面をシャワー等により水や湯をかけることにより、ガラス面に均一な水膜を形成することができる。
なお、本実施形態ではＴＶチューナ１１映像供給源とする形態を示したが、これに限らずビデオデッキ、ＤＶＤレコーダー等から供給される形態とすることもできる（以下の各実施形態においても同様）。
また、ＴＶチューナ１１は外部アンテナ１４を介して地上アナログ等の放送電波を受ける形態を示したが、専用ケーブルによりＣＡＴＶ信号を受信する形態とすることもできる。
【００１５】
（第二の実施形態）
次に、本発明の他の実施形態について説明する。図２は、第二の実施形態に係る浴室ＴＶシステム２０の構成を示す図である。浴室ＴＶシステム２０が上述の浴室ＴＶシステム１と異なる点は、映像供給源として専用ＴＶチューナを用いるのではなく、他の部屋と共用のＴＶチューナを用いていることである。
また、ＴＶチューナからプロジェクタへの映像送信に関し、信号線を用いるのではなく、家庭内電力線通信方式（ＰＬＣ）により行うことである。すなわち、ＴＶチューナ２１とプロジェクタ６とは、家庭内電力線２２を介して接続されている。ＰＬＣ方式へのインターフェイスのため、アダプタ２２ｂ、２２ｄ及び中継器２２ａを配置している。なお、ＰＬＣ中継器２２ｄとＴＶチューナ２１を結ぶ信号線Ｃ２２には、ＬＡＮケーブルを用いるため、ＴＶチューナとしてＬＡＮ接続ができるタイプを用いる必要がある。
また、音声出力については、中継器２２ａと浴室リモコン５とを接続する信号線Ｃ２１を介して行っている。さらに、浴室内からのＴＶチューナ２１への操作指示に関しては、ＴＶ操作用ワイヤレスリモコン２４により行う。
その他の構成は浴室ＴＶシステム１と同様であるため、説明を省略する。
【００１６】
以上の構成により、入浴時にＴＶ操作を行うときは、赤外線ワイヤレスリモコン２４によりガラスドア越しに脱衣室３の中継器２２ａに対して操作指示する。指示信号は、ＰＬＣによりＴＶチューナ２１に伝送され、ＴＶチューナ２１から映像・音声信号がＰＬＣ経由で伝送され、映像信号は信号線Ｃ２３を経由してプロジェクタ６に伝送される。また、音声信号は信号線Ｃ２１を介して中継器２２ａから浴室リモコン５に対して送信される。
なお、本実施形態では音声信号を専用の信号線を介して伝送する形態としたが、ブルートゥースを用いる形態とすることもできる。
【００１７】
（第三の実施形態）
さらに本発明の他の実施形態について説明する。図３は、本実施形態に係る浴室ＴＶシステム３０の構成を示す図である。浴室ＴＶシステム３０の構成が上述の浴室ＴＶシステム２０と異なる点は、浴室リモコン５が音声信号を中継器２２ａから直接受信するのではなく、台所・浴室リモコン間のインタホン機能を利用して受信することである。すなわち、中継器２２ａと浴室リモコン５とは直接接続されておらす、中継器２２ａ→信号線Ｃ３１→台所リモコン１３→信号線Ｃ３→熱源機１２→信号線Ｃ４→浴室リモコン５という回線を経由して接続されている。
以上の構成により、ＴＶ視聴時において音声信号は中継器２２ａから信号線Ｃ３１を介して台所リモコン１３に伝送され、そこからインタホン回線を介して浴室リモコン５に伝送される。なお、映像信号の送信形態は浴室ＴＶシステム２０と同様であるので、説明を省略する。
【００１８】
（第四の実施形態）
さらに本発明の他の実施形態について説明する。図４は、本実施形態に係る浴室ＴＶシステム４０の構成を示す図である。浴室ＴＶシステム４０の構成が上述の浴室ＴＶシステム２０と異なる点は、映像送信にＰＬＣ方式ではなくワイヤレスＬＡＮ方式を用いていることである。すなわち、ＴＶチューナ２１とプロジェクタ６とは、中継器４２ａ、４２ｂを介して無線ＬＡＮにより結ばれている。中継器４２ａは、ＴＶチューナ２１から受けた映像・音声信号をＭＰＥＧ４形式又はＭＰＥＧ２形式に変換し、ワイヤレスＬＡＮ２２で中継器４２ｂに送信するように構成されている。また、中継器４２ｂと浴室リモコン５間は、音声信号伝送用の信号線Ｃ４１で結ばれている。その他の構成は浴室ＴＶシステム１と同様である。
以上の構成により、ＴＶチューナ２１から送信される映像信号は中継器４２ａにおいてＭＰＥＧ４形式又はＭＰＥＧ２形式に変換され、無線ＬＡＮ４２により中継器４２ｂに伝送され、さらにプロジェクタ６に伝送される。また、音声出力は信号線Ｃ４１を介して中継器４２ｂから浴室リモコン５に伝送される。
【００１９】
（第五の実施形態）
さらに本発明の他の実施形態について説明する。図５は、本実施形態に係る浴室ＴＶシステム５０の構成を示す図である。浴室ＴＶシステム５０の構成が上述の浴室ＴＶシステム４０と異なる点は、浴室リモコン５が音声信号を中継器４２ｂから直接受信するのではなく、第三の実施形態と同様にリモコン間のインタホン機能を利用して受信することである。すなわち、中継器４２ｂ→信号線Ｃ５１→台所リモコン１３→信号線Ｃ３→熱源機１２→信号線Ｃ４→浴室リモコン５の回線経路により接続されている。さらに、浴室内にはＡＶ操作用のワイヤレスリモコン２４が配置されている。
以上の構成により、ＴＶチューナ２１から送信される映像信号は中継器４２ａにおいてＭＰＥＧ４形式又はＭＰＥＧ２形式に変換され、無線ＬＡＮ４２により中継器４２ｂに伝送され、さらにプロジェクタ６に伝送される。また、音声出力は信号線Ｃ４１を介して中継器４２ｂから浴室リモコン５に伝送される。
【００２０】
（第六の実施形態）
さらに図６、７を参照して、本発明の他の実施形態について説明する。図６は、本実施形態に係る浴室ＴＶシステム６０の構成を示す図である。浴室ＴＶシステム６０の構成が上述の浴室ＴＶシステム１と異なる点は、浴室２の天井部に浴室暖房機（親機）６１を、また脱衣室３の天井部に換気装置（子機）６２を備えていることである。熱源機１２と親機６１間には温水循環配管６３が設けられており、温水が熱源機１２と親機内の熱交換器（図示せず）間を循環するように構成されている。親機６１は循環ファン（図示せず）を備え、浴室内空気を吸い込んで熱交換器において温水と熱交換させて温風として浴室に戻すように構成されている。親機６１と子機６２間はダクト配管６４により接続されており、親機６１内の換気ファン（図示せず）により脱衣室３の空気を吸い込んで、屋外に排出するように構成されている。
さらに、浴室リモコン６５は信号線Ｃ６２を介してＴＶチューナ１１に対してＴＶ入切、番組選定等を可能とするよう構成されていることに加え、信号線Ｃ６１を介して熱源機１２の制御部１２ａにＴＶ入切操作情報が送信され、親機６１、子機６２に対して運転開始又は停止指示を行うように構成されている。
その他の構成は浴室ＴＶシステム１と同様であるため、説明を省略する。
【００２１】
次に、図７を参照して浴室ＴＶシステム６０のＴＶシステム使用時の作動フローについて説明する。入浴者が浴室リモコン６５のＴＶスイッチをＯＮにすると（Ｓ１０１）、これをトリガーとして親機６１の暖房運転及び子機６２の換気運転が開始される（Ｓ１０２）。浴室内では、親機６１のルーバー６１ａがドア７方向に向けられ、温風がドア７の超親水コーティング材９に吹きつけられる。これにより、浴室内が高湿度になってもガラス表面の結露を防止することができる。さらに、脱衣室３においても換気が行われる。
ＴＶ視聴終了後、浴室リモコン６５のＴＶスイッチをＯＦＦにすると（Ｓ１０３）、親機６１の暖房運転及び子機６２の換気運転が終了する（Ｓ１０４）。
このように、ＴＶスイッチと浴室暖房機の運転を連動させることにより、よりクリアな画面を楽しむことができる。
【産業上の利用可能性】
【００２２】
本発明は、ＡＶ環境、浴室構造等を問わず、浴室ＴＶシステムとして広く利用可能である。
【図面の簡単な説明】
【００２３】
【図１】第一の実施形態に係る浴室ＴＶシステム１の構成を示す図である。
【図２】第二の実施形態に係る浴室ＴＶシステム２０の構成を示す図である。
【図３】第三の実施形態に係る浴室ＴＶシステム３０の構成を示す図である。
【図４】第四の実施形態に係る浴室ＴＶシステム４０の構成を示す図である。
【図５】第五の実施形態に係る浴室ＴＶシステム５０の構成を示す図である。
【図６】第六の実施形態に係る浴室ＴＶシステム６０の構成を示す図である。
【図７】浴室ＴＶシステム６０のＴＶシステム使用時の作動フローを示す図である。
【符号の説明】
【００２４】
１、２０、３０、４０、５０、６０・・・・浴室ＴＶシステム
２・・・・浴室
３・・・・脱衣室
５・・・・浴室リモコン
６・・・・プロジェクタ
７・・・・浴室ドア
８・・・・背面投射用透過型スクリーン
９・・・・超親水コーティング
１０・・・間仕切り
１１、２１・・・・ＴＶチューナ
１２・・・熱源機
１３・・・台所リモコン
１４・・・外部アンテナ
２２・・・家庭内電力線
２４・・・ワイヤレスリモコン
６１・・・浴室暖房機（親機）
６２・・・換気装置（子機）
６３・・・温水循環配管
６４・・・ダクト配管
【図１】
2008211554.tif 000003
【図２】
2008211554.tif 000004
【図３】
2008211554.tif 000005
【図４】
2008211554.tif 000006
【図５】
2008211554.tif 000007
【図６】
2008211554.tif 000008
【図７】
2008211554.tif 000009